(57)【要約】      （修正有）【課題】長期にわたる心電図記録器の装着において、携帯が被検者に与える負担を軽減する携帯型心電図記録器を提供する。【解決手段】心電図記録器２は、被検者に携帯される。記録部２１は、被検者の心電図データを記録する。検出部２２は、近距離無線通信機能を有する可搬型のデバイス３の接近を検出する。制御部２３は、検出部によるデバイスの接近の検出を含む開始条件が満足されると、記録部への心電図データの記録を開始する。【選択図】図２
2019130287.tif 000002
【特許請求の範囲】
【請求項１】
被検者の心電図に対応するデータを記録する記録部と、
近距離無線通信機能を有する可搬型のデバイスの接近を検出する検出部と、
前記検出部による前記デバイスの接近の検出を含む開始条件が満足されると、前記記録部への前記データの記録を開始する制御部と、
を備えている、
携帯型心電図記録器。
【請求項２】
前記開始条件は、前記デバイスの接近が検出されている時間が所定値を超えることをさらに含む、
請求項１に記載の携帯型心電図記録器。
【請求項３】
前記制御部は、所定の停止条件が満足されると、前記記録部への前記データの記録を停止する、
請求項１または２に記載の携帯型心電図記録器。
【請求項４】
前記停止条件は、前記記録部への前記データの記録開始からの所定時間の経過を含む、
請求項３に記載の携帯型心電図記録器。
【請求項５】
前記データを解析して不整脈の存在を検出する解析部を備えており、
前記停止条件は、前記解析部により不整脈の消失が検出されてからの所定時間の経過を含む、
請求項３または４に記載の携帯型心電図記録器。
【請求項６】
前記記録部に記録されたデータを無線送信する通信部を備えている、
請求項１から５のいずれか一項に記載の携帯型心電図記録器。
【請求項７】
少なくとも前記記録部へ供給される電力の少なくとも一部は、前記デバイスより非接触給電を介して受け取るように構成されている、
請求項１から６のいずれか一項に記載の携帯型心電図記録器。
【請求項８】
前記デバイスより受け取った電力を一時的に蓄積する蓄電素子を備えている、
請求項７に記載の携帯型心電図記録器。
【請求項９】
被検者に携帯される心電図記録器と、
近距離無線通信機能を有する可搬型のデバイスと、
を含んでおり、
前記心電図記録器は、
前記被検者の心電図に対応するデータを記録する記録部と、
前記デバイスの接近を検出する検出部と、
前記検出部による前記デバイスの接近の検出を含む開始条件が満足されると、前記記録部への前記データの記録を開始する制御部と、
を備えている、
心電図記録システム。
【請求項１０】
前記開始条件は、前記デバイスに対して所定の記録開始操作が行われたことを含む、
請求項９に記載の心電図記録システム。
【請求項１１】
前記制御部は、所定の停止条件が満足されると、前記記録部への前記データの記録を停止する、
請求項９または１０に記載の心電図記録システム。
【請求項１２】
前記停止条件は、前記デバイスに対して所定の記録停止操作が行われたことを含む、
請求項１１に記載の心電図記録システム。
【請求項１３】
前記心電図記録器は、前記記録部に記録されたデータを前記デバイスに無線送信する通信部を備えており、
前記デバイスは、前記データを解析して不整脈の存在を検出する解析部を備えており、
前記停止条件は、前記解析部により不整脈の消失が検出されてからの所定時間の経過を含む、
請求項１１または１２に記載の心電図記録システム。
【請求項１４】
前記心電図記録器は、前記記録部に記録されたデータを前記デバイスに無線送信する通信部を備えており、
前記デバイスは、前記心電図記録器から受信した前記データを所定のサーバ装置へ転送する通信部を備えている、
請求項９から１３のいずれか一項に記載の心電図記録システム。
【請求項１５】
前記デバイスは、少なくとも前記記録部へ供給される電力の少なくとも一部を非接触給電する、
請求項９から１４のいずれか一項に記載の心電図記録システム。
【請求項１６】
前記心電図記録器は、前記デバイスより受け取った電力を一時的に蓄積する蓄電素子を備えている、
請求項１５に記載の心電図記録システム。
【発明の詳細な説明】
【技術分野】
【０００１】
本発明は、被検者に携帯されて当該被検者の心電図に対応するデータを記録する携帯型心電図記録器に関する。また、本発明は、当該携帯型心電図記録器を含む心電図記録システムに関する。
【背景技術】
【０００２】
不整脈を発見するために、被検者の心電図を長期間にわたって収集する検査がある。特許文献１は、そのような検査に使用される心電図検査器の一例を発明している。当該心電図記録器は、電極を備えている。検査期間中は、被検者の皮膚に電極が常に密着された状態で心電図の記録が行なわれる。
【先行技術文献】
【特許文献】
【０００３】
【特許文献１】特開平０８−２９９２９３号公報
【発明の概要】
【発明が解決しようとする課題】
【０００４】
特許文献１に記載された心電図記録器は、心電図の記録を常時行なうための電力を供給する電池を搭載している。長期にわたる測定を可能にするために、電池は大きく重くなる傾向にある。そのような電池を搭載した心電図記録器もまた大きく重くなる傾向にあり、長期にわたる装着が被検者の負担を増す。
【０００５】
本発明の目的は、心電図記録器の携帯が被検者に与える負担を軽減することである。
【課題を解決するための手段】
【０００６】
上記の目的を達成するための本発明の一態様は、携帯型心電図記録器であって、
被検者の心電図に対応するデータを記録する記録部と、
近距離無線通信機能を有する可搬型のデバイスの接近を検出する検出部と、
前記検出部による前記デバイスの接近の検出を含む開始条件が満足されると、前記記録部への前記データの記録を開始する制御部と、
を備えている。
【０００７】
上記の目的を達成するための本発明の一態様は、心電図記録システムであって、
被検者に携帯される心電図記録器と、
近距離無線通信機能を有する可搬型のデバイスと、
を含んでおり、
前記心電図記録器は、
前記被検者の心電図に対応するデータを記録する記録部と、
前記デバイスの接近を検出する検出部と、
前記検出部による前記デバイスの接近の検出を含む開始条件が満足されると、前記記録部への前記データの記録を開始する制御部と、
を備えている。
【０００８】
このような構成によれば、被検者が異常を自覚して可搬型デバイスを携帯型心電図記録器に近づけたときのみ心電図データの記録がなされるので、携帯型心電図記録器に搭載される電池を小型化または不要にできる。これにより、心電図記録器の小型化および軽量化が実現され、心電図記録器の携帯が被検者に与える負担を軽減できる。
【０００９】
また、近距離無線通信機能を有する可搬型デバイスを携帯型心電図記録器に近づけることにより記録が開始されるので、筋電図情報などのノイズが心電図データに混入することを抑制できる。加えて、着衣を維持したまま場所を選ばすに記録を開始できるので、初動の遅れに伴って記録機会を逸することを回避しやすい。さらに、被検者の所定の身体部位に固定された電極を通じて心電図データを記録できるので、取得されるデータの正確性を維持しやすい。したがって、より長期にわたる正確な心電図データの記録が可能である。
【図面の簡単な説明】
【００１０】
【図１】一実施形態に係る心電図記録システムの構成を示している。
【図２】上記の心電図記録システムにおける携帯型心電図記録器と可搬型デバイスの機能構成を示している。
【図３】上記の可搬型デバイスと携帯型心電図記録器間でなされる非接触給電の原理を示している。
【図４】上記の携帯型心電図記録器により実行される処理を示している。
【図５】上記の心電図記録システムにおける心電図データの流れを示している。
【発明を実施するための形態】
【００１１】
添付の図面を参照しつつ、実施形態の例を以下詳細に説明する。
【００１２】
図１に示されるように、一実施形態に係る心電図記録システム１は、携帯型心電図記録器２（以下、単に心電図記録器２と記す）を含んでいる。心電図記録器２は、被検者Ｓに携帯される。換言すると、心電図記録器２は、被検者Ｓが携帯可能な寸法と重量を有するように構成されている。
【００１３】
図１に示されるように、被検者Ｓの胸部には複数の電極Ｅが装着および固定される。各電極Ｅは、装着された身体部位の生体電位を検出する。図２に示されるように、心電図記録器２は、インターフェース２０を備えている。各電極Ｅを通じて検出された生体電位に対応する信号は、インターフェース２０に入力される。インターフェース２０は、入力された信号を後段の処理に必要な心電図データに変換する回路を含んでいる。当該回路としては、Ａ／Ｄ変換回路、フィルタ回路などが例示されうる。すなわち、心電図データは、被検者Ｓの心電図に対応するデジタルデータである。
【００１４】
図１に示される例においては、複数の電極Ｅが心電図記録器２に有線接続されている。しかしながら、各電極Ｅを通じて検出された生体電位に対応する信号は、無線通信を介してインターフェース２０に入力されてもよい。あるいは、心電図記録器２に複数の電極Ｅが内蔵された構成も採用されうる。この場合、心電図記録器２は、被検者Ｓの胸部に装着および固定される。
【００１５】
図２に示されるように、心電図記録器２は、記録部２１を備えている。記録部２１は、心電図データを記録するストレージを含むように構成されている。ストレージの例としては、半導体メモリやハードディスクドライブなどが例示されうる。
【００１６】
図１に示されるように、心電図記録システム１は、可搬型デバイス３（以下、単にデバイス３と記す）を含んでいる。デバイス３は、被検者Ｓに携帯されうる。換言すると、デバイス３は、被検者Ｓが携帯可能な寸法と重量を有するように構成されている。デバイス３は、近距離無線通信機能を有している。
【００１７】
具体的には、図２に示されるように、デバイス３は、近距離無線通信部３１を備えている。近距離無線通信部３１は、ＲＦＩＤ（Radio Frequency Identification）、ＮＦＣ（Near Field Communication）、Bluetooth（登録商標）などの規格に準拠した通信インターフェースにより構成されうる。これらの規格は、普通の衣服などによっては無線通信が妨げられないように仕様が定められている。
【００１８】
図２に示されるように、心電図記録器２は、検出部２２を備えている。検出部２２は、デバイス３の接近を検出可能に構成されている。具体的には、検出部２２は、デバイス３の近距離無線通信部３１と対をなす通信インターフェースを含むように構成される。検出部２２は、近距離無線通信部３１の通信インターフェースとの間で通信が確立した事実に基づいて、デバイス３の接近を検出する。
【００１９】
例えば、図３に示されるように、近距離無線通信部３１は、送信コイル３１１を備えうる。他方、検出部２２は、受信コイル２２１を備えうる。デバイス３が備えている不図示の電源により送信コイル３１１に電流が流されると、送信コイル３１１から磁束が生じる。デバイス３を心電図記録器２に近づけることにより、送信コイル３１１から生じた磁束により受信コイル２２１に電流が流れる。検出部２２は、受信コイル２２１に誘導電流が流れた事実に基づいて、デバイス３の接近を検出する。
【００２０】
図２に示されるように、心電図記録器２は、制御部２３を備えている。制御部２３は、開始条件が満足されると、心電図データの記録部２１への記録を開始するように構成されている。開始条件は、検出部２２によるデバイス３の接近の検出を含む。制御部２３の当該動作および記録部２１による心電図データの記録は、電磁誘導を通じてデバイス３から心電図記録器２へ供給された電力により行なわれる。
【００２１】
次に図４を参照しつつ、上記のように構成された心電図記録器２とデバイス３を用いて行なわれる心電図記録処理について詳述する。
【００２２】
心電図記録器２は、複数の電極Ｅが所定の身体部位に装着・固定された状態で、被検者Ｓにより携帯される。被検者Ｓは、日常生活下で動悸などの異常を自覚した際にデバイス３を心電図記録器２に近づけるよう指導される。
【００２３】
初期状態において、心電図記録器２は、待機状態にある。制御部２３は、開始条件が満足されているかを判断する（ＳＴＥＰ１）。すなわち、制御部２３は、検出部２２によりデバイス３の接近が検出されているかを判断する。平常時においては、被検者Ｓは、デバイス３を心電図記録器２に近づけない。したがって、デバイス３の接近が検出されていないと判断される（ＳＴＥＰ１においてＮ）。よって、心電図記録器２の待機状態が維持される。
【００２４】
被検者Ｓは、動悸などの異常を自覚すると、デバイス３を心電図記録器２に近づける。したがって、デバイス３の接近が検出されていると判断される（ＳＴＥＰ１においてＹ）。よって、心電図記録器２の待機状態が解除され、制御部２３は、心電図データの記録部２１への記録を開始する（ＳＴＥＰ２）。インターフェース２０における信号処理や、記録部２１への心電図データの記録に必要な電力の少なくとも一部は、電磁誘導を通じてデバイス３から供給される。
【００２５】
このような構成によれば、被検者Ｓが異常を自覚してデバイス３を心電図記録器２に近づけたときのみ心電図データの記録がなされるので、心電図記録器２に搭載される電池を小型化または不要にできる。これにより、心電図記録器２の小型化および軽量化が実現され、心電図記録器２の携帯が被検者Ｓに与える負担を軽減できる。
【００２６】
また、近距離無線通信機能を有するデバイス３を心電図記録器２に近づけることにより記録が開始されるので、筋電図情報などのノイズが心電図データに混入することを抑制できる。また着衣を維持したまま場所を選ばすに記録を開始できるので、初動の遅れに伴って記録機会を逸することを回避しやすい。さらに、被検者Ｓの所定の身体部位に固定された電極Ｅを通じて心電図データを記録できるので、取得されるデータの正確性を維持しやすい。したがって、より長期にわたる正確な心電図データの記録が可能である。
【００２７】
特に、心電図データの記録に必要な電力の少なくとも一部が電磁誘導などの非接触給電を通じてデバイス３から供給されるので、心電図記録器２に搭載される電池の小型化または不要化が容易になる。
【００２８】
検出部２２によるデバイス３の接近の検出に加え、別の条件が開始条件に含まれてもよい。例えば、検出部２２によりデバイス３の接近が検出されている時間が所定値を超えることが、開始条件に含まれてもよい。
【００２９】
このような構成によれば、被検者Ｓが意図せずデバイス３を心電図記録器２に近づけてしまったことにより心電図記録器２の待機状態が解除される事態を回避しやすい。したがって、心電図記録器２に搭載される電池の小型化または不要化が容易になる。また、内部タイマを用いた簡素な処理によって当該効果を得ることができる。
【００３０】
これに加えてあるいは代えて、図２に示されるように、デバイス３は、ユーザインターフェース３２を備えうる。ユーザインターフェース３２としては、物理的ボタンやレバー、表示装置に表示されたタッチ操作可能なボタン、音声認識インターフェースなどが例示されうる。
【００３１】
この場合、デバイス３のユーザインターフェース３２に対して所定の記録開始操作が行なわれたことが、開始条件に含まれてもよい。所定の記録開始操作としては、物理的ボタンやレバーの操作、表示装置に表示されたボタンのタッチ操作、記録開始に関連付けられた音声の入力などが例示されうる。
【００３２】
デバイス３は、制御部３３を備えうる。制御部３３は、ユーザインターフェース３２に対して所定の記録開始操作がなされると、当該操作に対応する開始指示信号を生成し、生成された開始指示信号を近距離無線通信部３１に送信させる。検出部２２と近距離無線通信部３１の間で通信が確立していれば、開始指示信号が検出部２２に受信される。心電図記録器２の制御部２３は、検出部２２により開始指示信号が受信された事実に基づいて、デバイス３に対して所定の記録開始操作が行われたと判断する。
【００３３】
このような構成によっても、被検者Ｓが意図せずデバイス３を心電図記録器２に近づけてしまったことにより心電図記録器２の待機状態が解除される事態を回避しやすい。したがって、心電図記録器２に搭載される電池の小型化または不要化が容易になる。
【００３４】
心電図記録器２の制御部２３は、所定の停止条件が満足されると、記録部２１への心電図データの記録を停止するように構成されうる。
【００３５】
図４に示されるように、記録部２１への心電図データの記録が行なわれている間、制御部２３は、停止条件が満足されているかを判断する（ＳＴＥＰ３）。停止条件が満足されていないと判断されると（ＳＴＥＰ３においてＮ）、記録部２１への心電図データの記録が続行される。
【００３６】
停止条件が満足されたと判断されると（ＳＴＥＰ３においてＹ）、制御部２３は、記録部２１への心電図データの記録を停止する（ＳＴＥＰ４）とともに、心電図記録器２を待機状態に遷移させる。
【００３７】
このような構成によれば、開始条件が成立してから停止条件が成立するまでの間だけ心電図記録器２が待機状態から解除されるようにできる。したがって、心電図記録器２に搭載される電池の小型化または不要化が容易になる。
【００３８】
停止条件は、記録部２１への心電図データの記録開始からの所定時間の経過を含みうる。この場合、制御部２３は、内部タイマを用いて記録開始からの経過時間をカウントする。カウントされた経過時間が所定値に達すると、制御部２３は、自動的に記録部２１への心電図データの記録を停止する。
【００３９】
このような構成によれば、内部タイマを用いる簡易な自動化処理で、心電図記録器２に搭載される電池の小型化または不要化を実現できる。
【００４０】
これに加えてあるいは代えて、デバイス３のユーザインターフェース３２に対して所定の記録停止操作が行なわれたことが、停止条件に含まれてもよい。所定の記録停止操作としては、物理的ボタンやレバーの操作、表示装置に表示されたボタンのタッチ操作、記録停止に関連付けられた音声の入力などが例示されうる。
【００４１】
この場合、制御部３３は、ユーザインターフェース３２に対して所定の記録停止操作がなされると、当該操作に対応する停止指示信号を生成し、生成された停止指示信号を近距離無線通信部３１に送信させる。検出部２２と近距離無線通信部３１の間で通信が確立していれば、停止指示信号が検出部２２に受信される。心電図記録器２の制御部２３は、検出部２２により停止指示信号が受信された事実に基づいて、デバイス３に対して所定の記録停止操作が行われたと判断する。
【００４２】
このような構成によれば、心電図記録器２による心電図の記録を被検者Ｓの自由意思に基づいて停止できるので、搭載される電池の小型化または不要化が容易になる。
【００４３】
上記に加えてあるいは代えて、図２に示されるように、心電図記録器２は、解析部２４を備えうる。解析部２４は、記録部２１に記録された心電図データを解析し、不整脈の存在を検出するように構成される。取得した心電図データに基づいて不整脈の有無を検出する処理自体は公知であるので、詳細な説明は省略する。
【００４４】
この場合、解析部２４により不整脈の消失が検出されてからの所定時間の経過が、停止条件に含まれてもよい。制御部２３は、内部タイマを用いて不整脈の消失が検出されてからの経過時間をカウントする。カウントされた経過時間が所定値に達すると、制御部２３は、自動的に記録部２１への心電図データの記録を停止する。
【００４５】
このような構成によれば、不整脈に係る心電図データの取得を確実にしつつ、心電図記録器２に搭載される電池の小型化または不要化を実現できる。
【００４６】
図２に示されるように、心電図記録器２は、通信部２５を備えうる。図５に示されるように、通信部２５は、記録部２１に記録された心電図データをデバイス３へ無線送信するように構成される。通信部２５は、デバイス３の近距離無線通信部３１との間で無線通信を確立可能な通信インターフェースとして構成されうる。すなわち、検出部２２を構成している通信インターフェースの少なくとも一部を共用できる。
【００４７】
このような構成によれば、心電図記録器２において心電図データの保持や処理に必要とされる構成を簡素化できる。これにより、心電図記録器２の大型化や重量増をさらに抑制でき、長期間にわたる検査による被検者Ｓへの負担をさらに軽減できる。
【００４８】
通信部２５により心電図データがデバイス３へ送信される場合、図２に示されるように、デバイス３が解析部３４を備えうる。解析部３４は、通信部２５により送信された心電図データを解析し、不整脈の存在を検出するように構成される。取得した心電図データに基づいて不整脈の有無を検出する処理自体は公知であるので、詳細な説明は省略する。
【００４９】
この場合、解析部３４により不整脈の消失が検出されてからの所定時間の経過が、停止条件に含まれてもよい。制御部３３は、内部タイマを用いて不整脈の消失が検出されてからの経過時間をカウントする。カウントされた経過時間が所定値に達すると、制御部３３は、停止指示信号を生成し、生成された停止指示信号を近距離無線通信部３１に送信させる。通信部２５と近距離無線通信部３１の間で通信が確立していれば、停止指示信号が通信部２５に受信される。心電図記録器２の制御部２３は、通信部２５により停止指示信号が受信された事実に基づいて、停止条件が満足されたと判断する。
【００５０】
このような構成によれば、心電図記録器２から解析部２４を省略できる。これにより、不整脈に係る心電図データの取得を確実にしつつ、心電図記録器２の大型化や重量増もさらに抑制でき、長期間にわたる検査による被検者Ｓへの負担をさらに軽減できる。
【００５１】
図２に示されるように、デバイス３は、通信部３５を備えうる。図５に示されるように、通信部３５は、心電図記録器２から受信した心電図データを、無線通信ネットワークを介して所定のサーバ装置ＳＶへ転送するように構成されうる。無線通信ネットワークは、無線ＬＡＮ、携帯電話通信網、インターネットなどを含みうる。このような通信部３５を備えているデバイス３として、スマートフォン、タブレット端末、ノート型パーソナルコンピュータなどが例示されうる。サーバ装置ＳＶは、汎用のメールサーバ装置でもよいし、専用のウェブサーバ装置でもよい。
【００５２】
サーバ装置ＳＶへ送信されるデータは、様々な形態をとりうる。心電図データ自体であるバイナリデータでもよいし、心電図データを含むように加工された画像やレポートとして提供されるファイル形式のデータでもよい。
【００５３】
このような構成によれば、被検者Ｓの自覚に基づいて記録された心電図データを、遠隔地において確認や共有することが容易になる。サーバ装置ＳＶが汎用のメールサーバ装置である場合、当該メールサーバ装置に登録されたメールアドレスへ心電図データが送られる。メールを開封することにより、遠隔地における心電図データの確認や診断が可能とされる。サーバ装置ＳＶが専用のウェブサーバ装置の場合、複数の医療従事者が、専用のウェブページを通じて場所を選ばずに心電図データを共有できる。
【００５４】
心電図記録器２における上述したインターフェース２０、検出部２２、および制御部２３の少なくとも一つの機能の少なくとも一部は、少なくとも一つのプロセッサとメモリによって実現されうる。プロセッサとしては、ＣＰＵやＭＰＵが例示されうる。プロセッサは、複数のプロセッサコアを含みうる。メモリの例としては、ＲＯＭやＲＡＭが挙げられる。ＲＯＭには、上記の機能を実現するプログラムが記憶されうる。プロセッサは、ＲＯＭに記憶されたプログラムの少なくとも一部を指定してＲＡＭ上に展開し、ＲＡＭと協働して上記の機能を実現しうる。
【００５５】
心電図記録器２における上述した検出部２２と制御部２３の機能の少なくとも一部は、上記のプロセッサおよびメモリとは異なる少なくとも一つのハードウェア資源（例えば、ＡＳＩＣやＦＰＧＡなどの集積回路）によって実現されてもよい。
【００５６】
デバイス３における上述した制御部３３と解析部３４の少なくとも一方の機能の少なくとも一部は、少なくとも一つのプロセッサとメモリによって実現されうる。プロセッサとしては、ＣＰＵやＭＰＵが例示されうる。プロセッサは、複数のプロセッサコアを含みうる。メモリの例としては、ＲＯＭやＲＡＭが挙げられる。ＲＯＭには、上記の機能を実現するプログラムが記憶されうる。プロセッサは、ＲＯＭに記憶されたプログラムの少なくとも一部を指定してＲＡＭ上に展開し、ＲＡＭと協働して上記の機能を実現しうる。
【００５７】
心電図記録器２における上述した制御部３３と解析部３４の機能の少なくとも一部は、上記のプロセッサおよびメモリとは異なる少なくとも一つのハードウェア資源（例えば、ＡＳＩＣやＦＰＧＡなどの集積回路）によって実現されてもよい。
【００５８】
上記の実施形態は、本発明の理解を容易にするための例示にすぎない。上記の実施形態に係る構成は、本発明の趣旨を逸脱しなければ、適宜に変更・改良されうる。
【００５９】
図３に示されるように、心電図記録器２は、蓄電素子２６を備えうる。蓄電素子２６は、デバイス３より非接触給電を介して受け取った電力を一時的に蓄積する。蓄電素子２６は、例えば受信コイル２２１と並列に接続される。蓄電素子２６に一時的に蓄積された電力は、デバイス３による非接触給電が解除された後も、少なくとも記録部２１へ供給されうる。
【００６０】
このような構成によれば、心電図記録器２への電池の搭載を不要にしつつ、非接触給電のためにデバイス３を心電図記録器２へ接近させた状態の維持が必要な時間を短縮できる。したがって、被検者Ｓへの負担を軽減できる。
【００６１】
図５に示されるように、通信部２５は、記録部２１に記録された心電図データを専用の外部機器ＥＸへ無線送信するように構成されうる。この場合、通信部２５は、送信先の外部機器ＥＸとの間で無線通信を確立可能な通信インターフェースとして構成される。外部機器ＥＸへ送信された心電図データは、保存処理、解析処理、編集処理などに供されうる。外部機器によって処理されたデータは、通信ネットワークを介して所定のサーバ装置ＳＶへ送信されうる。
【００６２】
心電図記録器２が通信部２５を備えていない場合、図５に示されるように、記録部２１に記録された心電図データが、専用の外部機器ＥＸにより直接的に読み出されうる。有線接続を介してデータが読み出されてもよいし、心電図データが記録された可搬型記憶媒体を心電図記録器２から外部機器ＥＸへ移すことによりデータが移行されてもよい。外部機器ＥＸへ移行された心電図データは、保存処理、解析処理、編集処理などに供されうる。外部機器によって処理されたデータは、通信ネットワークを介して所定のサーバ装置ＳＶへ送信されうる。
【００６３】
上記の実施形態においては、複数の電極Ｅからの信号が心電図記録器２のインターフェース２０に入力されている。しかしながら、単一の電極Ｅからの信号がインターフェース２０に入力される構成も採用されうる。
【００６４】
心電図データの記録に必要な電力を供給する電池を心電図記録器２が搭載している場合、上記の近距離無線通信を遂行するにあたって、必ずしもデバイス３側に電源を設けることを要しない。デバイス３は、携帯性に優れたＩＣカードのような態様をとりうる。この場合、長期にわたる検査に臨む被検者Ｓの負担をさらに軽減できる。
【符号の説明】
【００６５】
１：心電図記録システム、２：携帯型心電図記録器、２１：記録部、２２：検出部、２２１：受信コイル、２３：制御部、２４：解析部、２５：通信部、２６：蓄電素子、３：可搬型デバイス、３１：近距離無線通信部、３１１：送信コイル、３２：ユーザインターフェース、３３：制御部、３４：解析部、３５：通信部、Ｓ：被検者、ＳＶ：サーバ装置
【図１】
2019130287.tif 000003
【図２】
2019130287.tif 000004
【図３】
2019130287.tif 000005
【図４】
2019130287.tif 000006
【図５】
2019130287.tif 000007